(57)【要約】【課題】本発明が解決しようとする課題は、物品に付された無線タグまたは当該無線タグが付された物品の取り扱いを間違えることを防止する情報処理装置およびプログラムを提供することである。【解決手段】実施形態の情報処理装置は、注意情報を記憶する記憶部と、アンテナが受信した物品に付された無線タグから当該物品を特定する情報を含むタグ情報を受け付けるタグ情報受付部と、受け付けた前記タグ情報に前記無線タグまたは当該無線タグが付された物品の取り扱いを注意する注意情報を報知する旨の情報が含まれているかを判断する判断部と、前記判断部が、受け付けた前記タグ情報に前記無線タグまたは当該無線タグが付された物品の取り扱いを注意することを示す注意情報が含まれていると判断した場合に、前記記憶部から前記記憶されている注意情報を報知する報知部と、を備える。【選択図】図６
2020119358.tif 000002
【特許請求の範囲】
【請求項１】
注意情報を記憶する記憶部と、
アンテナが受信した物品に付された無線タグから当該物品を特定する情報を含むタグ情報を受け付けるタグ情報受付部と、
受け付けた前記タグ情報に前記無線タグまたは当該無線タグが付された物品の取り扱いを注意する注意情報を報知する旨の情報が含まれているかを判断する判断部と、
前記判断部が、受け付けた前記タグ情報に前記無線タグまたは当該無線タグが付された物品の取り扱いを注意することを示す注意情報が含まれていると判断した場合に、前記記憶部から前記記憶されている注意情報を報知する報知部と、
を備えた情報処理装置。
【請求項２】
前記判断部は、前記タグ情報の特定位置に含まれる情報に基づいて受け付けた前記タグ情報に前記無線タグまたは当該無線タグが付された物品の取り扱いを注意することを示す注意情報が含まれているかを判断する、
請求項１に記載の情報処理装置。
【請求項３】
前記記憶部は、複数種類の注意情報を記憶し、
前記判断部は、前記タグ情報に含まれている注意情報の種類を判断し、
前記報知部は、前記判断した種類の注意情報を前記記憶部から読み出して報知する、
請求項２に記載の情報処理装置。
【請求項４】
前記判断部は、前記特定位置に含まれる複数桁の特定ビット位置の情報に基づいて前記注意情報の種類を判断する、
請求項３に記載の情報処理装置。
【請求項５】
前記物品は商品であり、
前記情報処理装置は、顧客が自身で前記商品の売上登録操作と決済操作を行うセルフ型のデータ販売処理装置であり、
前記報知部は、前記顧客に対し、前記売上登録操作を行った商品または当該商品に付された無線タグまたは当該無線タグが付された物品の取り扱いに係る前記注意情報を報知する、
請求項１乃至４のいずれか一に記載の情報処理装置。
【請求項６】
注意情報を記憶する記憶部を備えた情報処理装置としてのコンピュータを、
アンテナが受信した物品に付された無線タグから当該物品を特定する情報を含むタグ情報を受け付けるタグ情報受付部と、
受け付けた前記タグ情報に前記無線タグまたは当該無線タグが付された物品の取り扱いを注意する注意情報を報知する旨の情報が含まれているかを判断する判断部と、
前記判断部が受け付けた前記タグ情報に前記無線タグまたは当該無線タグが付された物品の取り扱いを注意することを示す注意情報が含まれていると判断した場合に、前記記憶部から前記記憶されている注意情報を報知する報知部と、
して機能させるためのプログラム。
【発明の詳細な説明】
【技術分野】
【０００１】
本発明の実施形態は、情報処理装置およびプログラムに関する。
【背景技術】
【０００２】
最近は、例えば量販店、スーパーマーケット、コンビニエンスストア等の店舗において、商品に当該商品に係るタグ情報を記憶したＲＦＩＤ（Radio  Frequency  Identifier）タグ等の無線タグを付し、当該無線タグからタグ情報をＰＯＳ端末（Point  of  Sales）で読み取って、商品を販売する手法が用いられている。
【０００３】
このような無線タグを付したままの商品を電子レンジで加熱すると、無線タグが発火する恐れがあるため、無線タグは、商品が販売された時点で商品から取り外す必要がある。
【０００４】
また、例えば医療機関等で、薬剤に無線タグを貼付し、当該無線タグに薬剤の名称や使用期限等を記憶させて管理している。
これらの無線タグは、例えば心臓ペースメーカー等の機器に悪影響を与える恐れがあるため、このような機器から離して使用することが必要である。しかしながら、店舗や医療機関において、無線タグの取り外しの忘れや無線タグが付された物品の取り扱いを間違えることがある。
【発明の概要】
【発明が解決しようとする課題】
【０００５】
本発明が解決しようとする課題は、物品に付された無線タグまたは当該無線タグが付された物品の取り扱いを間違えることを防止する情報処理装置およびプログラムを提供することである。
【課題を解決するための手段】
【０００６】
実施形態の情報処理装置は、注意情報を記憶する記憶部と、アンテナが受信した物品に付された無線タグから当該物品を特定する情報を含むタグ情報を受け付けるタグ情報受付部と、受け付けた前記タグ情報に前記無線タグまたは当該無線タグが付された物品の取り扱いを注意する注意情報を報知する旨の情報が含まれているかを判断する判断部と、前記判断部が、受け付けた前記タグ情報に前記無線タグまたは当該無線タグが付された物品の取り扱いを注意することを示す注意情報が含まれていると判断した場合に、前記記憶部から前記記憶されている注意情報を報知する報知部と、を備える。
【図面の簡単な説明】
【０００７】
【図１】図１は、実施形態に係るセルフＰＯＳ端末の外観を示す斜視図である。
【図２】図２は、実施形態に係るセルフＰＯＳ端末のハードウェア構成を示すブロック図である。
【図３】図３は、無線タグのタグ情報の一例を示す図である。
【図４】図４は、注意情報部の構成の一例を示す図である。
【図５】図５は、セルフＰＯＳ端末の機能構成を示す機能ブロック図である。
【図６】図６は、セルフＰＯＳ端末の制御処理の流れを示すフローチャートである。
【発明を実施するための形態】
【０００８】
以下、図面を参照して、実施形態に係る情報処理装置およびプログラムについて説明する。なお、実施形態では、セルフ型のデータ販売処理装置であるセルフＰＯＳ端末を情報処理装置の一例として説明する。また、実施形態では、商品を物品の一例として説明する。なお、以下に説明する実施形態により、この発明が限定されるものではない。
【０００９】
まず、セルフＰＯＳ端末１について説明する。セルフＰＯＳ端末１は、購入する商品に付された無線タグからタグ情報を読み取らせる登録部と、読み取らせたタグ情報基づいて当該商品に係る決済操作を行う決済部とを備えている。登録部における売上登録操作と決済部における決済操作は、いずれも顧客自身が行う。セルフＰＯＳ端末１は、顧客が行った売上登録操作に基づいて売上登録処理を実行する。また、セルフＰＯＳ端末１は、顧客が行った決済操作に基づいて決済処理を実行する。
【００１０】
ここで、売上登録処理とは、セルフＰＯＳ端末１が読み取ったタグ情報に含まれる商品コードに基づいて、商品マスタ１４２（図２を参照）から当該商品の商品情報（商品名、価格等）読み出し、読み出した当該商品の商品情報を表示するとともに、商品情報を商品情報部１３１（図２を参照）に記憶する処理をいう。決済処理とは、売上登録処理に伴い商品情報部１３１に記憶された商品情報に基づいて、取引に係る合計金額や税額の表示、顧客から預かった預り金に基づいて釣銭を計算して表示する処理、商品情報や決済情報（合計金額、預り金額、釣銭額等）を印字したレシートを発行する処理等をいう。なお、商品情報と決済情報を合わせた情報を売上情報という。
【００１１】
図１は、セルフＰＯＳ端末１の外観を示す斜視図である。図１に示すように、セルフＰＯＳ端末１は、第１筐体４１と第２筐体４２とを備えている。第１筐体４１は、内部に硬貨と紙幣の釣銭機２３（図２を参照）や制御装置を収納している。釣銭機２３は、顧客から預かった硬貨や紙幣を金種別に収納する。また釣銭機２３は、顧客に対して釣銭を払い出す。
【００１２】
第１筐体４１は、硬貨を入金する入金部２３１と硬貨の釣銭を払い出す出金部２３３と払い出された硬貨を受ける受皿２３２を備えている。また、第１筐体４１は、紙幣を入金する入金部２３４と紙幣の釣銭を払い出す出金部２３５を備える。
【００１３】
また、第１筐体４１は、側面左右に載置台２５と載置台２６を備えている。載置台２５は第１計量部２５１を有している。載置台２６は第２計量部２６１を有している。
【００１４】
載置台２５は、購入するための商品が入れられたカゴを載置する台である。第１計量部２５１は、載置台２５に載置されたカゴとカゴ内に入れられた商品の合計重量を計量する。載置台２６は、載置台２５から取り出した商品を投入する袋をセットする台である。第２計量部２６１は、載置台２６にセットされた袋と袋内に入れられた商品の合計重量を計量する。
【００１５】
また、載置台２６は、載置台２６の上面から上方に延出する２本の支柱４３と支柱４３の上部に形成された一時置台４４と２本の延出棒４５を備える。延出棒４５は、アンテナ２７（図２を参照）で商品に係るタグ情報を読み取らせた商品を入れるレジ袋（図示せず）をセットする棒である。レジ袋は延出棒４５にレジ袋の取っ手を引っ掛けられた状態で開口し、商品を投入し易くする。また、一時置台４４は、アンテナ２７でタグ情報を読み取らせた商品のうち、壊れやすい商品（豆腐や卵）を一時的に載置する台である。一時置台４４に載置された商品は最後にレジ袋に入れる。
【００１６】
第２筐体４２は、第１筐体４１の上部に設けられている。第２筐体４２は、アンテナ２７とプリンタ２４とカードリーダ２９（いずれも図２を参照）を収納する。アンテナ２７は、受信したタグ情報をタグ情報読取部３０に送信する。プリンタ２４は、セルフＰＯＳ端末１が売上登録処理した商品の商品情報や、決済処理した決済情報をレシート用紙に印字してレシートを発行する。カードリーダ２９は、例えば挿入されたクレジットカードから顧客特定情報を読み出す。クレジットカードで決済する場合は、セルフＰＯＳ端末１は、カードリーダ２９によって読み出された顧客特定情報に基づいて決済処理を実行する。
【００１７】
また、第２筐体４２は、アンテナ２７とプリンタ２４から発行されるレシートを排出する排出部２４１と、カードリーダ２９に対してカードを挿入する挿入部２９１を備えている。
【００１８】
また、第２筐体４２は、上部に、表示部２２を備えている。表示部２２は、顧客による売上登録操作に伴う商品の商品情報を表示する。また、表示部２２は、顧客による決済操作に伴う決済情報を表示する。
【００１９】
表示部２２は、表面にタッチパネルから成る操作部２１を備えている。操作部２１はキーの役目を果たす。表示部２２上に表示された各種キーに対応する位置の操作部２１を操作することで、当該キーが操作される。
【００２０】
また、第２筐体４２は、後方に、上部に延出する円柱状のポール４６を備えている。ポール４６の上方先端部には、発光部３１を備えている。発光部３１は、セルフＰＯＳ端末１がエラー状態となった場合や、セルフＰＯＳ端末１の操作が分からない場合等に、顧客がアテンダントを呼びだす操作をした場合に発光してアテンダントに報知する。
【００２１】
次に、セルフＰＯＳ端末１のハードウェアについて説明する。図２は、セルフＰＯＳ端末１のハードウェア構成を示すブロック図である。図２に示すように、セルフＰＯＳ端末１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は制御主体となる。ＲＯＭ１２は各種プログラムを記憶する。ＲＡＭ１３はプログラムや各種データを展開する。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述するセルフＰＯＳ端末１の制御処理を実行する。
【００２２】
ＲＡＭ１３は、商品情報部１３１とタグ情報部１３２を備える。商品情報部１３１は、セルフＰＯＳ端末１が売上登録処理を行った商品の商品情報（商品名、商品の価格、等）を記憶する。タグ情報部１３２は、アンテナ２７が受信したタグ情報を記憶する。
【００２３】
メモリ部１４は、ＨＤＤ（Hard  Disc  Drive）やフラッシュメモリ等で構成されており、電源を遮断しても記憶内容を維持する。メモリ部１４は、制御プログラム部１４１と商品マスタ１４２と注意情報部（記憶部）１４３を備える。制御プログラム部１４１はセルフＰＯＳ端末１を制御するための制御プログラムを記憶する。商品マスタ１４２は、商品を特定する商品コードに対応付けて当該商品の商品名、単価等を記憶する。注意情報部１４３は、無線タグまたは当該無線タグが付された商品の取り扱いに係る複数種類の注意情報を記憶する。
【００２４】
制御部１００は、バス１５とコントローラ１６を介して、操作部２１、表示部２２、釣銭機２３、プリンタ２４、カードリーダ２９、タグ情報読取部３０を接続する。操作部２１は、顧客との取引を終了するために操作する締めキー２１１を含むキーボードである。表示部２２は、セルフＰＯＳ端末１を操作する顧客に向けて商品情報や決済情報等の情報を表示する。釣銭機２３は、顧客が入金部２３１から投入した硬貨や、入金部２３４から投入した紙幣を金種別に収納する。また釣銭機２３は、出金部２３３および出金部２３５から、釣銭としての硬貨と紙幣を払い出す。プリンタ２４は、商品情報や決済情報等を印字したレシートを発行する。カードリーダ２９は、クレジットカード等のカード情報を読み取る。
【００２５】
タグ情報読取部３０は、アンテナ２７を接続する。タグ情報読取部３０は、アンテナ２７が受信したタグ情報を読み取る。
【００２６】
また、制御部１００は、バス１５を介して、通信インタフェース（Ｉ／Ｆ）２８と接続している。通信インタフェース２８は、セルフＰＯＳ端末１の上位機器である店舗サーバ（図示せず）と、情報を送受信可能に接続している。
【００２７】
次に、無線タグが記憶し、アンテナ２７が受信し、タグ情報読取部３０が読み取るタグ情報について説明する。図３は、無線タグのタグ情報の一例を示す図である。タグ情報ＩＤは、付された商品を特定する情報を記憶する。タグ情報ＩＤは、ヘッダ部ＩＤ１、企業コード部ＩＤ２、商品コード部ＩＤ３、固定部ＩＤ４、可変部ＩＤ５、個品コード部ＩＤ６等の各情報を有している。ヘッダ部ＩＤ１はタグ情報に係るヘッダ情報である。企業コード部ＩＤ２は、当該無線タグが付された商品を製造した企業を特定する企業コードである。商品コード部ＩＤ３は当該無線タグが付された商品の種類を特定する商品コード（商品特定情報）である。この商品コードが、物品を特定する情報である。固定部ＩＤ４は、当該タグ情報に係る変更不可の固定情報である。可変部（特定位置の情報）ＩＤ５は、当該タグ情報に係る変更可能な可変情報である。
【００２８】
可変部ＩＤ５の情報は、企業あるいは店舗において自由に書き込みや変更することができる情報である。可変部ＩＤ５の情報の書込みや変更は、図示しないリーダライタによって行う。実施形態では、可変部ＩＤ５は２ビットの情報である。当該２ビットの情報が「００」の場合、制御部１００は、可変部ＩＤ５はフラグ０であると判断する。当該２ビットの情報が「０１」の場合、制御部１００は、可変部ＩＤ５はフラグ１であると判断する。当該２ビットの情報が「１０」の場合、制御部１００は、可変部ＩＤ５はフラグ２であると判断する。当該２ビットの情報が「１１」の場合、制御部１００は、可変部ＩＤ５はフラグ３であると判断する。
【００２９】
個品コード部ＩＤ６は、当該無線タグが付された商品を他の商品と個別に区別してユニークに特定する個品コード（個品特定情報）である。
【００３０】
次に、注意情報部１４３について説明する。実施形態では、注意情報部１４３は、フラグ１に対応した注意情報１、フラグ２に対応した注意情報２、フラグ３に対応した注意情報３の３種類の注意情報を記憶する。注意情報１は、例えば商品を電子レンジで温める場合に当該無線タグの取り扱いに係る注意情報（例えば、電子レンジで商品を温める前に無線タグを取り外す注意情報）である。タグ情報の可変部ＩＤ５が「０１」（すなわちフラグ１）である場合に、注意情報１であることを示す。
【００３１】
注意情報２は、例えば崩れやすい商品（例えば卵や豆腐）の取り扱いに係る注意情報（例えば、壊れやすい商品を一時置台４４に一端置くことを薦める注意情報）である。タグ情報の可変部ＩＤ５が「１０」（すなわちフラグ２）である場合に、注意情報２であることを示す。
【００３２】
注意情報３は、例えば無線タグが送信するタグ情報が医療機器に影響を与えることに対する、当該無線タグの取り扱いに係る注意情報（例えば、無線タグを心臓ペースメーカーに近づけないための注意情報）である。タグ情報の可変部ＩＤ５が「１１」（すなわちフラグ３）である場合に、注意情報３であることを示す。
【００３３】
顧客は、載置台２５に載置されたカゴから商品を１品ずつ取出して、アンテナ２７の前を通過させる。アンテナ２７は、当該商品に付された無線タグから送信されたタグ情報を受信し、タグ情報読取部３０は、アンテナ２７が受信したタグ情報を読み取る。顧客は、アンテナ２７の前を通過させた商品を載置台２６に載置されたレジ袋に投入する。セルフＰＯＳ端末１は、第１計量部２５１による商品の取り出し前後の重量変化と、第２計量部２６１による商品の投入の前後の重量変化とが一致しているか否かで、顧客が正しく操作をしているかを判断する。重量変化が一致している場合は、セルフＰＯＳ端末１は、売上登録処理を実行する。
【００３４】
ここからは、セルフＰＯＳ端末１の機能構成について説明する。図５は、セルフＰＯＳ端末１の機能構成を示す機能ブロック図である。図５に示すように、セルフＰＯＳ端末１の制御部１００は、制御プログラム部１４１に記憶され、ＲＡＭ１３に展開された制御プログラムに従うことで、タグ情報受付部１０１、判断部１０２、注意情報取得部１０３、報知部１０４として機能する。
【００３５】
タグ情報受付部１０１は、アンテナ２７が受信した商品に付された無線タグから当該商品を特定する商品コードを含むタグ情報を受け付ける。タグ情報受付部１０１は、アンテナ２７が受信した商品に付された無線タグから当該商品を特定する商品コードを含むタグ情報を、タグ情報部１３２に記憶することでタグ情報を受け付ける。
【００３６】
判断部１０２は、受け付けたタグ情報に、無線タグまたは当該無線タグが付された商品の取り扱いを注意する注意情報を報知する旨の情報が含まれているかを判断する。具体的には、判断部１０２は、タグ情報部１３２に記憶されたタグ情報における可変部ＩＤ５にフラグ０、フラグ１、フラグ２、フラグ３の何れのフラグが記憶されているかによって、受け付けたタグ情報に無線タグの取り扱いを注意する注意情報を報知する旨の情報が含まれているかを判断する。判断部１０２は、タグ情報部１３２に記憶されたタグ情報にフラグ０が記憶されている場合には、受け付けたタグ情報に無線タグまたは当該無線タグが付された商品の取り扱いを注意する注意情報を報知する旨の情報は含まれていないと判断する。判断部１０２は、タグ情報部１３２に記憶されたタグ情報に、フラグ１、フラグ２、フラグ３のいずれかが記憶されている場合には、受け付けたタグ情報に無線タグまたは当該無線タグが付された商品の取り扱いを注意する注意情報を報知する旨の情報が含まれていると判断する。
【００３７】
判断部１０２は、タグ情報部１３２に記憶されたタグ情報にフラグ１が記憶されている場合には、受け付けたタグ情報に無線タグの取り扱いを注意する注意情報１を報知する旨の情報が含まれていると判断する。判断部１０２は、タグ情報部１３２に記憶されたタグ情報にフラグ２が記憶されている場合には、受け付けたタグ情報に無線タグの取り扱いを注意する注意情報２を報知する旨の情報が含まれていると判断する。判断部１０２は、タグ情報部１３２に記憶されたタグ情報にフラグ３が記憶されている場合には、受け付けたタグ情報に無線タグの取り扱いを注意する注意情報３を報知する旨の情報が含まれていると判断する。
【００３８】
注意情報取得部１０３は、タグ情報に含まれている注意情報を取得する。具体的には、注意情報取得部１０３は、判断部１０２が、受け付けたタグ情報に無線タグの取り扱いを注意する注意情報１を報知する旨の情報が含まれていると判断した場合に、注意情報部１４３から該当する注意情報を取得する。さらに具体的には、注意情報取得部１０３は、判断部１０２が、受け付けたタグ情報に無線タグの取り扱いを注意する注意情報１を報知する旨の情報が含まれていると判断した場合に、注意情報部１４３から注意情報１を取得する。注意情報取得部１０３は、判断部１０２が、受け付けたタグ情報に無線タグの取り扱いを注意する注意情報２を報知する旨の情報が含まれていると判断した場合に、注意情報部１４３から注意情報２を取得する。注意情報取得部１０３は、判断部１０２が、受け付けたタグ情報に無線タグの取り扱いを注意する注意情報３を報知する旨の情報が含まれていると判断した場合に、注意情報部１４３から注意情報３を取得する。
【００３９】
なお、判断部１０２が、受け付けたタグ情報に無線タグの取り扱いを注意する注意情報を報知する旨の情報は含まれていないと判断した場合には、注意情報取得部１０３は、注意情報を取得しない。
【００４０】
報知部１０４は、判断部１０２が受け付けたタグ情報に無線タグまたは当該無線タグが付された商品の取り扱いを注意することを示す注意情報が含まれていると判断した場合に、注意情報部１４３から記憶されている注意情報を報知する。具体的には、報知部１０４は、判断部１０２が受け付けたタグ情報に無線タグまたは当該無線タグが付された商品の取り扱いを注意することを示す注意情報が含まれていると判断した場合に、判断部１０２の判断に基づいて注意情報取得部１０３が取得した注意情報を表示部２２に表示する。
【００４１】
さらに具体的には、報知部１０４は、注意情報取得部１０３が注意情報１を取得した場合には、注意情報１を表示部２２に表示する。報知部１０４は、注意情報取得部１０３が注意情報２を取得した場合には、注意情報２を表示部２２に表示する。報知部１０４は、注意情報取得部１０３が注意情報３を取得した場合には、注意情報３を表示部２２に表示する。
【００４２】
ここからは、セルフＰＯＳ端末１の制御について説明する。図６は、セルフＰＯＳ端末１の制御処理の流れを示すフローチャートである。図６に示すように、セルフＰＯＳ端末１の制御部１００は、アンテナ２７がタグ情報を受信したかを判断する（Ｓ１１）。アンテナ２７がタグ情報を受信したと判断した場合には（Ｓ１１のＹｅｓ）、タグ情報受付部１０１は、当該タグ情報をタグ情報部１３２に記憶する（タグ情報を受け付ける）（Ｓ１２）。
【００４３】
次に判断部１０２は、受け付けたタグ情報に、無線タグまたは当該無線タグが付された商品の取り扱いを注意する注意情報を報知する旨の情報が含まれているかを判断する（Ｓ１３）。受け付けたタグ情報に、無線タグまたは当該無線タグが付された商品の取り扱いを注意する注意情報を報知する旨の情報が含まれていると判断した場合に（Ｓ１３のＹｅｓ）、判断部１０２は、タグ情報に含まれている注意情報の種類（実施形態では、注意情報１か注意情報２か注意情報３か）を判断する（Ｓ１４）。そして報知部１０４は、判断部１０２が判断した種類の注意情報を、注意情報部１４３から取得して、表示部２２に表示する（報知する）（Ｓ１５）。
【００４４】
次に制御部１００は、受け付けたタグ情報に含まれる商品コードに基づいて、当該商品の売上登録処理を実行する（Ｓ１６）。そして制御部１００は、Ｓ１１に戻る。なお、受け付けたタグ情報に、無線タグまたは当該無線タグが付された商品の取り扱いを注意する注意情報を報知する旨の情報は含まれていないと判断した場合に（Ｓ１３のＮｏ）、制御部１００は、当該商品または当該商品に付された無線タグの取り扱いについて表示部２２に表示せずにＳ１６の処理を実行する。
【００４５】
また、Ｓ１１において、アンテナ２７がタグ情報を受信していないと判断した場合には（Ｓ１１のＮｏ）、制御部１００は、締めキー２１１が操作されたかを判断する（Ｓ２１）。締めキー２１１が操作されたと判断した場合には（Ｓ２１のＹｅｓ）、制御部１００は、Ｓ１６において売上登録処理し、商品情報部１３１に記憶されている商品について、決済処理を実行する（Ｓ２２）。そして制御部１００は、Ｓ１１に戻る。また、締めキー２１１の操作ではないと判断した場合には（Ｓ２１のＮｏ）、制御部１００は、Ｓ１１に戻る。
【００４６】
このような実施形態によれば、タグ情報受付部１０１が受け付けたタグ情報に、判断部１０２が、無線タグまたは当該無線タグが付された商品の取り扱いを注意する注意情報を報知する旨の情報が含まれているかを判断する。そして、報知部１０４が、判断部１０２が注意情報が含まれていると判断した場合に、注意情報部１４３に記憶されている注意情報を報知する。そのため、商品に付された無線タグまたは当該無線タグが付された商品の取り扱いを間違えることを防止することができる。
【００４７】
また、実施形態によれば、判断部１０２は、読み取ったタグ情報の特定位置の情報に基づいてタグ情報に無線タグまたは当該無線タグが付された商品の取り扱いを注意することを示す注意情報が含まれているかを判断する。そのため、無線タグまたは当該無線タグが付された商品の取り扱いを注意する場合に、可変部ＩＤ５を「０１」「１０」「１１」のいずれかとした無線タグを商品に貼付するだけで、判断部１０２は、無線タグまたは当該無線タグが付された商品の取り扱いを注意する注意情報を報知する旨の情報が含まれているかを判断する。そのため、取り扱いを注意する無線タグまたは当該無線タグが付された商品が増えた場合に、セルフＰＯＳ端末１の商品マスタ１４２のデータを変更する必要がない。
【００４８】
また、実施形態によれば、注意情報部１４３は複数種類の注意情報を記憶し、判断部１０２が判断した種類の注意情報を報知部１０４が報知する。そのため、多種多様な状況において、当該状況に応じた無線タグを商品や物品に貼付することで、当該状況に応じた注意情報を報知することができる。
【００４９】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００５０】
例えば、実施形態では、セルフＰＯＳ端末１を情報処理装置の一例として説明した。また、商品を物品の一例として説明した。しかしながらこれに限らず、例えば、情報処理装置は、商品の売上登録操作および決済操作を店員が行うＰＯＳ端末、あるいは、商品登録装置と決済装置を備え、商品登録装置で商品の売上登録操作を徹員が行い、決済装置で決済操作を顧客が行うセミセルフ型のＰＯＳ端末における、商品登録装置であってもよい。また、薬を検品する薬品検品装置を情報処理装置とし、薬剤を物品としてもよい。この場合、薬剤に無線タグが付され、薬品検品装置で無線タグからタグ情報を読み取って、患者に投与する当該薬剤の適否（正しい薬剤であるか、使用期限が切れていないか、等）を検品する。その際に、無線タグが心臓ペースメーカーに悪影響を与えないように、例えば、無線タグを心臓ペースメーカー付近に近づけない旨の注意事項３を報知するようにしてもよい。
【００５１】
また実施形態では、商品をカゴから取り出してアンテナ２７の前を通過するようにして、タグ情報を読み取るようにした。しかしながらこれに限らす、アンテナ２７が下方に設置された台にカゴを載置することで、カゴ内に入れられた商品に付された無線タグを当該アンテナで同時に読み取るようにしてもよい。この場合、顧客は、カゴ内に、注意事項が表示された商品が存在することを認識し、カゴ内から当該商品を探して注意情報に沿った取扱をする。
【００５２】
なお、実施形態のセルフＰＯＳ端末１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００５３】
また、実施形態のセルフＰＯＳ端末１で実行されるプログラムを、インターネット等のネットワークに接続されたコンピュータ上に格納し、ネットワーク経由でダウンロードさせることにより提供するように構成しても良い。また、実施形態のセルフＰＯＳ端末１で実行されるプログラムをインターネット等のネットワーク経由で提供または配布するように構成しても良い。
【００５４】
また、実施形態のセルフＰＯＳ端末１で実行されるプログラムを、ＲＯＭ等に予め組み込んで提供するように構成してもよい。
【符号の説明】
【００５５】
１      セルフＰＯＳ端末
１１    ＣＰＵ
１２    ＲＯＭ
１３    ＲＡＭ
１４    メモリ部
２１    操作部
２２    表示部
２４    プリンタ
２６    タグ情報読取部
２７    アンテナ
１００  制御部
１０１  タグ情報受付部
１０２  判断部
１０３  注意情報取得部
１０４  報知部
１３１  商品情報部
１３２  タグ情報部
１４３  注意情報部
ＩＤ    タグ情報
【先行技術文献】
【特許文献】
【００５６】
【特許文献１】特開２００３−６７８３５号公報
【図１】
2020119358.tif 000003
【図２】
2020119358.tif 000004
【図３】
2020119358.tif 000005
【図４】
2020119358.tif 000006
【図５】
2020119358.tif 000007
【図６】
2020119358.tif 000008